(57)【要約】【課題】家の住人を判別して、住人が接近した場合には防犯モードが機能しない防犯機能付き照明器具を提供する。【解決手段】人感センサ２２ａが所定の検知エリア内に入った人Ｍを検知した場合には、防犯機能が作動可能となるが、検知された人Ｍが特定の信号を発信しているのを通信部２３が受信した場合には、人感センサ２２ａによる人検知にもかかわらず防犯機能を作動しないようにした。このため、家の住人Ｍは、住人であることを示す特定の信号を発する発信機３０を持つことにより、照明器具２０に接近して人感センサ２２ａにより検知された場合でも、防犯モードが機能しないので、煩わしくなく、また、夜間に近所に迷惑をかけるのを防止することができる。【選択図】図１
2010033232.tif 000002
【特許請求の範囲】
【請求項１】
所定の検知エリア内の人を検知する人感センサを有し、前記人感センサが人を検知すると防犯機能が作動可能な照明器具であって、
前記人が発する特定の信号を受信する通信部を有するとともに、当該特定の信号が受信された場合には、前記人感センサが人を検知しても前記防犯機能が作動しないことを特徴とする防犯機能付き照明器具。
【請求項２】
前記通信部が前記特定の信号を受信した場合には、所定時間経過後に前記防犯機能が作動可能状態に復帰することを特徴とする請求項１記載の防犯機能付き照明器具。
【請求項３】
前記通信部が前記人を検知した後、所定時間経過後に前記防犯機能が作動することを特徴とする請求項１または２記載の防犯機能付き照明器具。
【請求項４】
請求項１〜３のいずれかに記載の照明器具と、
前記特定の信号を発する発信機と、を有することを特徴とする防犯照明システム。
【発明の詳細な説明】
【技術分野】
【０００１】
本発明は、防犯機能付き照明器具および防犯照明システムに関するものである。
【背景技術】
【０００２】
従来の防犯機能付き照明器具が、図８（Ａ）、（Ｂ）に示してある（例えば特許文献１参照）。
図８（Ａ）に示すように、照明器具１００は、所定の検知エリア内の人体から放射される熱線を検知することで人の存否を検出する人センサ部１０２と、周囲の明るさを検出する明るさセンサ部１０３と、所定の照明エリア内で照明を行う光源部１０４と、威嚇や警告のための警報音を出力する音出力部１０５と、リモコン送信機１１０から送信される動作モード切替用のリモコン信号を受信するリモコン通信部１０６と、動作にかかわる各種の設定を行うための設定部１０７と、前述した各部を制御するための制御部１０１とを有している。
【０００３】
また、図８（Ｂ）に示すように、リモコン送信機１１０は、照明器具１００の動作モードを防犯モードに選択する防犯モード選択スイッチ１１２と、通常モードを選択する通常モード選択スイッチ１１３と、光源部１０４を連続点灯させる連続点灯選択スイッチ１１４と、操作モードを切替えるための信号を照明器具１００のリモコン通信部１０６に発するリモコン送信部１１５と、各スイッチ等１１２〜１１５を制御する制御部１１１とを有している。
【０００４】
従って、リモコン発信機１１０の防犯モード選択スイッチ１１２を押して防犯モードを選択すると、人センサ部１０２が人を検知したら、光源部１０４を点滅させるとともに音出力部１０５から警報音を発して、人を威嚇する。また、リモコン発信機１１０の通常モード選択スイッチ１１３を押して、通常モードを選択すると、人センサ部１０２が人を検知したら、光源部１０４を点灯させて、照明エリア内の照明を行う。また、連続点灯選択スイッチ１１４を押すと、光源部１０４を連続して点灯させることができる。
【特許文献１】特開２００５−３０１３５５号公報（第１図）
【発明の開示】
【発明が解決しようとする課題】
【０００５】
しかしながら、従来の防犯機能付き照明器具においては、その家の住人である人が検知エリア内に入った場合でも人センサ部１０２が人として検知し、光源部１０４を点滅させたり、音出力部１０５が警報音を発するので、煩わしいとともに、夜間においては、近所に迷惑がかかるという問題があった。
【０００６】
本発明は、従来の問題を解決するためになされたもので、家の住人を判別して、住人が接近した場合には防犯モードが機能しない防犯機能付き照明器具を提供することを目的とする。
【課題を解決するための手段】
【０００７】
本発明の防犯機能付き照明器具は、所定の検知エリア内の人を検知する人感センサを有し、前記人感センサが人を検知すると防犯機能が作動可能な照明器具であって、前記人が発する特定の信号を受信する通信部を有するとともに、当該特定の信号が受信された場合には、前記人感センサが人を検知しても前記防犯機能が作動しない構成を有している。
【０００８】
この構成により、人感センサが所定の検知エリア内に入った人を検知した場合には、防犯機能が作動可能となるが、検知された人が特定の信号を発信しているのを通信部が受信した場合には、人感センサによる人検知にもかかわらず防犯機能を作動しないようにした。このため、家の住人は、住人であることを示す特定の信号を発することにより、照明器具に接近して人感センサにより検知された場合でも、防犯モードが機能しないので、煩わしくなく、また、夜間に近所に迷惑をかけるのを防止することができることとなる。
【０００９】
また、本発明の防犯機能付き照明器具は、前記通信部が前記特定の信号を受信した場合には、所定時間経過後に前記防犯機能が作動可能状態に復帰する構成を有している。
【００１０】
この構成により、通信部が特定の信号を受信して、防犯機能を作動しないようにした後、所定時間が経過したら、再び、防犯機能を作動可能としたので、確実に防犯機能作動可能状態に復帰することができる。
【００１１】
また、本発明の防犯機能付き照明器具は、前記通信部が前記人を検知した後、所定時間経過後に前記防犯機能が作動する構成を有している。
【００１２】
この構成により、先に人感センサが人を検知した場合でも、人検知から所定時間経過後に防犯機能が作動するようにしたので、所定時間経過までに通信部が特定信号を受信したら、防犯機能を作動させないようにすることができる。
【００１３】
さらに、本発明の防犯照明システムは、前述した照明器具と、前記特定の信号を発する発信機と、を有する構成を有している。
【００１４】
この構成により、人感センサが所定の検知エリア内に入った人を検知した場合には、防犯機能が作動可能となるが、検知された人が発信機により特定の信号を発信しているのを通信部が受信した場合には、人感センサによる人検知にもかかわらず防犯機能を作動しないようにした。このため、家の住人は、住人であることを示す特定の信号を発する発信機を持つことにより、照明器具に接近して人感センサにより検知された場合でも、防犯モードが機能しないので、煩わしくなく、また、夜間に近所に迷惑をかけるのを防止することができることとなる。
【発明の効果】
【００１５】
本発明は、人感センサが所定の検知エリア内に入った人を検知した場合には、防犯機能が作動可能となるが、検知された人が特定の信号を発信しているのを通信部が受信した場合には、人感センサによる人検知にもかかわらず防犯機能を作動しないようにした。このため、家の住人は、住人であることを示す特定の信号を発することにより、照明器具に接近して人感センサにより検知された場合でも、防犯モードが機能しないので、煩わしくなく、また、夜間に近所に迷惑をかけるのを防止することができるという効果を有する防犯機能付き照明器具を提供することができるものである。
【発明を実施するための最良の形態】
【００１６】
以下、本発明の実施の形態の防犯機能付き照明器具について、図面を用いて説明する。
図１は本発明にかかる防犯機能付き照明器具および防犯照明システムを示す斜視図、図２は防犯機能付き照明器具の構成を示すブロック図、図３は設定ツマミの正面図、図４は発信機の平面図、図５は発信機の構成を示すブロック図、図６は通常モードの動作を示す説明図、図７は防犯モードの動作を示す説明図である。
【００１７】
図１において、防犯照明システム１０は、防犯機能付き照明器具２０と、例えば住人であることを照明する特定の信号を発する例えばカードキータイプの発信機３０とを有している。
【００１８】
図１に示すように、防犯機能付き照明器具２０は、壁１１等に取り付けられる器具本体２０ａと、器具本体２０ａに取り付けられて内部に光源２１を有する灯体２０ｂとを有している。図２にも示すように、器具本体２０ａには、所定の検知エリア内の人を検知する人感センサ２２ａおよび明るさセンサ２２ｂを有する検知ブロック２２と、人が発信機３０から発する特定の信号を受信する通信部２３と、警報音等の音を発することができる音出力部２４とを有しており、前述した各部２１〜２４を制御する制御部２５を有している。
【００１９】
検知ブロック２２は、器具本体の下部外面に露出して設けられており、表面は乳白色のカバーで覆われている。このカバーはレンズ状に形成されており、人感センサ２２ａの検知エリアを決定する。
また、音出力部２４および通信部２３は、器具本体２０ａの下面を切欠いて設けられている。
【００２０】
制御部２５の前面には、複数個（例えば４個）の設定ツマミ２６が設けられている。図３に示すように、点灯保持時間ツマミ２６ａは、人感センサ２２ａが人を検知した際に光源２１を点灯させる時間（点灯保持時間）を設定する。明るさ調整ツマミ２６ｂは、明るさセンサ２２ｂにより検知された明るさに基づいて光源２１を点灯させる際の、周囲の明るさを調整する。お出迎え時間ツマミ２６ｃは、後述するお出迎え時間を設定する。点滅時間ツマミ２６ｄは、人を検知してから光源２１の点滅が開始するまでの時間（点滅開始時間）の設定を行う。また、設定ツマミ２６は器具本体２０ａの内部に設けられており、その前方に設けられているカバー２７を取り外すことにより、操作できるようになっている（図１参照）。
【００２１】
図４および図５に示すように、発信機３０は、アンテナ３１、バッテリー３２、設定部３３、モード制御部３４、防犯モード制御部３５を有している。発信機３０の表面には設定部３３が設けられており、防犯モードスイッチ３３ａ、通常モードスイッチ３３ｂ、連続点灯スイッチ３３ｃを有している。
【００２２】
前述した発信機３０を用いた防犯機能のキャンセル動作について説明する。照明器具１０の制御部２５から通信部２３を介してリクエスト信号が発せられると、発信機３０では、アンテナ３１を介して防犯モード制御部３５がリクエスト信号を受けて、特定の信号であるＩＤ信号Ｒを照明器具１０の通信部２３に発信する。照明器具１０では、制御部２５が受信したＩＤ信号Ｒを登録されているＩＤ信号と照合する。受信されたＩＤ信号Ｒが登録されているＩＤ信号のいずれかと一致すると、所定時間（例えば、１分間）防犯機能が作動しなくなる。なお、発信機３０は、照明器具２０にかざさなくても、持っているだけで特定の信号を発するようにすることもできる。
【００２３】
次に、各モードにおける動作を説明する。
【００２４】
（通常モード）
通常モードにおいては、図６（Ａ）に示すように、周囲が設定した明るさよりも暗くなったことを明るさセンサ２２ｂが検知すると、照明器具２０の光源２１を、例えば２０％の明るさで、ほんのりお出迎え点灯させる。従って、周囲が明るい昼間は点灯しない。この状態で、図６（Ｂ）に示すように、人Ｍが近づいて人感センサ２２ａにより検知されると、光源２１を１００％の明るさで点灯させ、図６（Ｃ）に示すように、人が離れて人感センサ２２ａにより検知されないようになると、再びほんのりお出迎え点灯する。そして、図６（Ｄ）に示すように、お出迎え終了時間になると消灯させる。この後、人感センサ２２ａが人を検知すると、光源２１を、１００％の明るさで点灯させて、人を検知したことを知らせる。
なお、お出迎え終了時間の調整により、朝までほんのりお出迎え点灯を継続することもできる。
【００２５】
（防犯モード）
この防犯モードは、前述したように、発信機３０を用いた防犯機能のキャンセル動作が行われた場合には、機能しない。すなわち、人が、発信機３０により特定の信号であるＩＤ信号を発している場合には、前述した通常モードに従って点灯等を実行する。そして、通信部２３が特定の信号を受信してから所定時間経過後には、防犯機能が作動可能状態に復帰する。これにより、住人等がいなくなった後に、確実に防犯機能作動可能状態に復帰することができる。
また、通信部２３が人を検知した場合でも、検知から所定時間経過後に防犯機能が作動するようにするのが望ましい。これにより、人が特定の信号を発する前に人感センサ２２ａが人を検知した場合でも、その所定時間経過までに通信部２３が特定信号を受信したら、防犯機能を作動させないようにすることができる。
【００２６】
発信機３０による防犯機能のキャンセル動作がない場合には、以下のように動作する。
明るさセンサ２２ｂによって周囲が明るいと判断された昼間においては、図７（Ａ）に示すように、人感センサ２２ａが人を検知すると、所定時間（例えば１０〜３０秒）経過後に、光源２１が点滅すると同時に、音出力部２４が警報音を発して人を威嚇発する。その後、人が検知されなくなると、光源２１は消灯し、警報音も停止する。
【００２７】
一方、明るさセンサ２２ｂによって周囲が暗いと判断された夜間においては、図７（Ｃ）に示すように、周囲が設定した明るさよりも暗いと明るさセンサ２２ｂが検知すると、照明器具２０の光源２１を、例えば２０％の明るさで、ほんのりお出迎え点灯させる。この状態で、図７（Ｄ）に示すように、人が近づいて人感センサ２２ａにより検知されると、光源２１を１００％の明るさで点灯させる。図７（Ｅ）に示すように、人感センサ２２ａによって所定時間継続して人が検知されると、光源２１がフラッシュ点滅するとともに、音出力部２４が警報音を発する。その後、図７（Ｆ）に示すように、警報音を停止させて、光源２１が１００％で点灯する。そして、図７（Ｇ）に示すように、人が離れて人感センサ２２ａにより検知されないようになると、再びほんのりお出迎え点灯する。その後、図７（Ｈ）に示すように、お出迎え終了時間になると、光源２１を消灯させるが、図７（Ｉ）に示すように、人感センサ２２ａが人を検知すると、光源２１を、１００％の明るさで点灯させて、人を検知したことを知らせ、人が検知されなくなると消灯する。
【００２８】
（連続点灯モード）
明るさセンサ２２ｂによって周囲が所定の明るさよりも暗いと検知された場合には、光源２１を、所定の明るさで、継続して点灯させ、明るさセンサ２２ｂによって、周囲が明るくなったと検知された場合には、光源２１を消灯する。
【００２９】
以上、説明した本発明の防犯機能付き照明器具２０および防犯照明システム１０によれば、人感センサ２２ａが所定の検知エリア内に入った人を検知した場合には、防犯機能が作動可能となるが、検知された人が発信機３０により特定の信号を発信しているのを通信部２３が受信した場合には、人感センサ２２ａによる人検知にもかかわらず防犯機能を作動しないようにした。このため、家の住人は、住人であることを示す特定の信号を発信機３０で発することにより、接近して人感センサ２２ａにより検知された場合でも、防犯モードが機能しないので、煩わしくなく、また、夜間に近所に迷惑をかけるのを防止することができることとなる。
【００３０】
なお、本発明の防犯機能付き照明器具は、前述した実施形態に限定されるものでなく、適宜な変形，改良等が可能である。
例えば、前述した実施形態において示した通常モードおよび防犯モードは一例であり、種々の形態を採用することができる。
【図面の簡単な説明】
【００３１】
【図１】本発明にかかる防犯機能付き照明器具および防犯照明システムを示す斜視図
【図２】防犯機能付き照明器具の構成を示すブロック図
【図３】設定ツマミの正面図
【図４】発信機の平面図
【図５】発信機の構成を示すブロック図
【図６】通常モードの動作を示す説明図
【図７】防犯モードの動作を示す説明図
【図８】（Ａ）は従来の防犯機能付き照明器具の構成を示すブロック図、（Ｂ）はリモコン送信機の構成を示すブロック図
【符号の説明】
【００３２】
１０  防犯照明システム
２０  防犯機能付き照明器具
２２ａ  人感センサ
２３  通信部
３０  発信機
Ｍ    人
【図１】
2010033232.tif 000003
【図２】
2010033232.tif 000004
【図３】
2010033232.tif 000005
【図４】
2010033232.tif 000006
【図５】
2010033232.tif 000007
【図６】
2010033232.tif 000008
【図７】
2010033232.tif 000009
【図８】
2010033232.tif 000010